(57)【要約】【課題】本発明は、利用者のカードを利用して洗車時に設定された洗車情報を確実に確認でき、被洗浄車両の破損等のトラブルの原因が洗車機の不具合によるのか、あるいは利用者の洗車情報の設定ミスかを判断できる洗車機を提供することを目的とする。【解決手段】リモートパネルから洗車コース、車両のタイプ・装備品の洗車情報が設定される毎に、ドライバ（利用者）の洗車カード５７に、前記洗車情報を記憶し、洗車カード５７の印字面５６に、設定日時と洗車情報を上書きで印字する。これにより、前記洗車情報に基づいて洗車動作が実行され車両にトラブルが発生したとき、利用者の洗車カード５７に記憶・印字された洗車情報（少なくとも装備品の情報）を確認することにより、トラブルの原因が、洗車機自体の不具合によるのか、あるいはドライバの設定ミスによるのかを判断することができる。【選択図】図１
2010006084.tif 000002
【特許請求の範囲】
【請求項１】
被洗浄車両と洗車機本体を前後方向に相対移動させながら、前記被洗浄車両の各種の洗車動作を、設定された前記被洗浄車両の装備品の情報を含む洗車情報に基づいて行い、洗車機の利用者は、洗車の際に、各種データを記憶可能な洗車カードを使用する洗車機であって、
前記利用者の洗車カードに対して、データの読取、および記憶が可能なカード装置を備え、
前記カード装置は、前記洗車情報が設定される毎に、前記洗車カードに、その設定日時と、前記洗車情報のうち少なくとも装備品の情報を記憶すること
を特徴とする洗車機。
【請求項２】
前記洗車情報を設定する操作パネルと、
前記操作パネルにより設定された洗車情報に基づいて前記洗車動作を実行する制御装置
を備え、
前記制御装置は、前記洗車情報が前記操作パネルにより設定されると、前記洗車情報を記憶するとともに、その設定日時を求め、求めた設定日時と、前記洗車情報のうち少なくとも装備品の情報を前記カード装置へ出力すること
を特徴とする請求項１に記載の洗車機。
【請求項３】
前記洗車カードを、複数回印字の書き換えが可能とされた印字面を有するリライトカードで形成し、
前記カード装置は、前記洗車情報が設定される毎に、その設定日時と、前記洗車情報のうち少なくとも装備品の情報を記憶するとともに、前記印字面に、その設定日時と、前記洗車情報のうち少なくとも装備品の情報を上書きで印字すること
を特徴とする請求項１または請求項２に記載の洗車機。
【請求項４】
前記洗車カードは、プリペイドカード機能を備え、
前記カード装置は、前記洗車情報による洗車動作の料金を差し引いた残高を、前記印字面に印字すること
を特徴とする請求項３に記載の洗車機。
【発明の詳細な説明】
【技術分野】
【０００１】
本発明は、たとえばＳＳ（サービス・ステーション；給油所）に設置され、洗車に使用される洗車機に関するものである。
【背景技術】
【０００２】
従来の洗車機の一例が、例えば特許文献１に開示されている。
特許文献１に開示されている洗車機は、利用者（被洗浄車両のドライバ等）が操作パネルを操作して洗車情報（実行する洗車コース、被洗浄車両のタイプと装備品の情報）を入力し、その洗車情報に応じて洗車装置（洗浄ブラシや乾燥ノズル等）が駆動され被洗浄車両の洗車が実行されるセルフ洗車機であり、ＳＳは、前記利用者に対して利用者の被洗浄車両のタイプ（車種）と装備品の情報を記憶したカード（磁気カード）を渡すようにされている。また前記操作パネルに前記カードのカード・リーダを設け、利用者は、このカード・リーダを使用して前記カードより被洗浄車両のタイプと装備品の情報を入力することにより、誤って利用者が被洗浄車両のタイプまたは装備品の情報を入力したこと、あるいは入力し忘れたことが原因となって、洗車装置により被洗浄車両が破損されることを防止している。
【特許文献１】特開平１０−１２９４３１号公報
【発明の開示】
【発明が解決しようとする課題】
【０００３】
しかし、従来の洗車機、特にセルフ洗車機において、被洗浄車両の破損等のトラブルが発生した場合、利用者からのクレームがでる。このとき、被洗浄車両のトラブルの原因が洗車機の不具合によるのか、あるいは利用者の洗車情報の設定ミス（自己責任）によるのか、判断できない場合があり、また実際に利用者のカードが使用されたかどうかも把握できないために、ＳＳは利用者からのクレームについて有効に対処できない恐れがあった。
【０００４】
そこで本発明は、利用者のカードを利用して、洗車時に設定された洗車情報を確実に確認でき、被洗浄車両の破損等のトラブルの原因が、洗車機の不具合によるのか、あるいは利用者の洗車情報の設定ミスかを判断できる洗車機を提供することを目的としたものである。
【課題を解決するための手段】
【０００５】
前述した目的を達成するために、本発明のうち請求項１に記載の発明は、被洗浄車両と洗車機本体を前後方向に相対移動させながら、前記被洗浄車両の各種の洗車動作を、設定された前記被洗浄車両の装備品の情報を含む洗車情報に基づいて行い、洗車機の利用者は、洗車の際に、各種データを記憶可能な洗車カードを使用する洗車機であって、
前記利用者の洗車カードに対して、データの読取、および記憶が可能なカード装置を備え、前記カード装置は、前記洗車情報が設定される毎に、前記洗車カードに、その設定日時と、前記洗車情報のうち少なくとも装備品の情報を記憶することを特徴とするものである。
【０００６】
上記構成によれば、利用者の洗車カードに、洗車情報が設定される毎に、その設定日時と洗車情報のうち少なくとも装備品の情報が記憶され、よって前記洗車情報に基づいて洗車動作が実行され被洗浄車両にトラブルが発生したとき、利用者の洗車カードに記憶された少なくとも装備品の情報を確認することにより、そのトラブルの原因が、洗車機自体の不具合によるのか、あるいは利用者の設定ミスによるのかを判断できる。このとき利用者の洗車カードが使用されることにより、ＳＳ側で洗車情報が改ざんされてトラブルの原因が消去されてしまうかもしれないという利用者の懸念・不信感を払拭でき、利用者の信頼の元で原因が判断される。
【０００７】
また請求項２に記載の発明は、上記請求項１に記載の発明であって、前記洗車情報を設定する操作パネルと、前記操作パネルにより設定された洗車情報に基づいて前記洗車動作を実行する制御装置を備え、前記制御装置は、前記洗車情報が前記操作パネルにより設定されると、前記洗車情報を記憶するとともに、その設定日時を求め、求めた設定日時と、前記洗車情報のうち少なくとも装備品の情報を前記カード装置へ出力することを特徴とするものである。
【０００８】
上記構成によれば、洗車情報が設定される毎に、洗車機の制御装置よりカード装置に、設定日時と、洗車情報のうち少なくとも装備品の情報が出力され、カード装置により、利用者の洗車カードに、設定日時と洗車情報のうち少なくとも装備品の情報が記憶される。よって、洗車機の制御装置に記憶された洗車情報が万一、失われても、洗車カードに、設定日時が明確な、洗車情報のうち少なくとも装備品の情報が残される。
【０００９】
また請求項３に記載の発明は、上記請求項１または請求項２に記載の発明であって、前記洗車カードを、複数回印字の書き換えが可能とされた印字面を有するリライトカードで形成し、前記カード装置は、前記洗車情報が設定される毎に、その設定日時と、前記洗車情報のうち少なくとも装備品の情報を記憶するとともに、前記印字面に、その設定日時と、前記洗車情報のうち少なくとも装備品の情報を上書きで印字することを特徴とするものである。
【００１０】
上記構成によれば、洗車情報が設定される毎に、カード装置により利用者の洗車カード（リライトカード）の印字面に、設定日時と洗車情報のうち少なくとも装備品の情報が上書きで印字される。よって、常に最新の洗車情報が、利用者の洗車カードの印字面に印字され、したがって被洗浄車両にトラブルが発生したとき、利用者もＳＳ側も共に最新の印字面の情報により、トラブルの原因が、洗車機自体のトラブルによるのか、あるいは利用者の設定ミスによるのかを判断できる。
【００１１】
また請求項４に記載の発明は、上記請求項３に記載の発明であって、前記洗車カードは、プリペイドカード機能を備え、前記カード装置は、前記洗車情報による洗車動作の料金を差し引いた残高を、前記印字面に印字することを特徴とするものである。
【００１２】
上記構成によれば、利用可能な残高が、洗車カード（リライトカード）の印字面に印刷され、利用者は残高に合わせて洗車コースを選択できる。
【発明の効果】
【００１３】
本発明の洗車機は、利用者の洗車カードに、洗車情報が設定される毎に、その設定日時と洗車情報のうち少なくとも装備品の情報が記憶されることにより、前記洗車情報に基づいて洗車動作が実行され被洗浄車両にトラブルが発生したときに、利用者の洗車カードに記憶された少なくとも装備品の情報を確認することによって、トラブルの原因が、洗車機自体の不具合によるのか、あるいは利用者の設定ミスによるのかを確実に判断でき、このとき利用者の洗車カードが使用されることにより、ＳＳ側で洗車情報が改ざんされてトラブルの原因が消去されてしまうかもしれないという利用者の懸念・不信感を払拭でき、利用者の信頼の元で前記トラブルの原因を判断できる、という効果を有している。
【発明を実施するための最良の形態】
【００１４】
以下、本発明の実施の形態を図面に基づいて説明する。
図３に洗車機の概略外観図、図４に同洗車機の操作パネルの正面図を示す。
図３において、１１は、床面に敷設された左右一対のレール１２に支持案内されて前後方向Ｘに往復移動自在な洗車機本体であり、その往復移動は走行駆動装置１３により行われる。また、洗車機本体１１は、正面視において門型をしており、その内部には、被洗浄車両である車両１４をブラッシングする洗浄装置１６（図２）と、空気を噴出して車両１４を乾燥する乾燥装置１７（図２）と、洗浄水あるいは洗剤あるいはコーティング剤を車両１４に噴霧するスプレー装置１８（図２）が備えられ、さらにレール１２に沿って配置された被検出体（図示せず）を検出することにより、洗車機本体１１がレール１２の始端位置のホームポジションＨＰ（原点）に位置することを検出するリミットスイッチからなるホームポジション検出スイッチ２０と、洗車機本体１１がレール１２の終端位置のエンドポジションＥＰ（終点）に位置することを検出するリミットスイッチからなるエンドポジション検出スイッチ２１が備えられている。
【００１５】
また、レール１２に沿ってその内側に、洗車機本体１１内を貫いて、洗車機本体１１の前後方向Ｘとは直角な左右方向Ｙに一対のローラコンベヤ２５が敷設されている。これら一対のローラコンベヤ２５の左右方向Ｙの間隔は、車両１４の左右の車輪１４Ａの間隔とされ、各ローラコンベヤ２５の左右方向Ｙの幅は、車両１４の車輪１４Ａの幅に余裕を持たせた幅とされている。またこのローラコンベヤ２５の正逆駆動は作動装置２６により行われる。また一方のローラコンベヤ２５に、車両１４が所定の洗車開始時の車両停止位置に載ったことを、前記車両１４の車輪１４Ａの検出により判断する車載検出スイッチ２７が設けられている。
【００１６】
また洗車機本体１１の前端には、ローラコンベヤ２５上に進入した車両１４を前記所定の洗車開始時の車両停止位置に停止させるための表示板２８が設けられている。この表示板２８には、表面にストップの文字が記載され、水平な姿勢と、この水平な姿勢とは直角な姿勢（垂直な姿勢）と間で略９０゜回転自在な構成とされ、洗車の開始前に、水平な姿勢に降ろされて車両停止位置を示し、洗車が開始されるとき、垂直な姿勢とされて洗車機本体１１内に格納される。
【００１７】
また前記レール１２の始端位置の後方には、車両１４の運転席から視認可能な位置に、退場誘導灯３３が設けられ、この退場誘導灯３３に従い洗車機本体１１の後方を退場する車両１４の通路に、車両１４の通過を検出する一対の光電スイッチからなる車両退場検出スイッチ３４が設けられている。
【００１８】
前記ローラコンベヤ２５の前端部の前方には、車両１４の進入を阻止する遮断器３６が設けられ、さらに遮断器３６の前方に、洗車機への車両１４の進入通路（移動径路）Ｓが設けられ、遮断器３６の前側上方に、進入通路Ｓへの車両１４の進入を検出する超音波センサからなる車両検出センサ３７が設けられ、進入通路Ｓに面してその側方に操作ボックス３８が設けられている。
【００１９】
この操作ボックス３８は、床面に固定された支持脚３９と、この支持脚３９の上端に設けられる、車両１４のドライバに操作されるリモートパネル（操作パネルの一例）４０により構成されている。このリモートパネル４０は車両１４の運転席より操作できるように進入通路Ｓに面している。
【００２０】
また正面から見て前記洗車機本体１１の右側の縦枠部の前面には、メンテナンス用パネル４１が設けられ、このメンテナンス用パネル４１の裏面側には、本体制御装置（操作パネルにより設定された洗車情報に基づいて洗車動作を実行する制御装置の一例）４２が設けられている。
【００２１】
前記リモートパネル４０には、図４に示すように、その左半分に自動洗車データを入力する操作・選択スイッチ群４５として、水洗い洗車コース、ワックス洗車コース、コーティング洗車コースの３つの洗車コース中から１つを選択する洗車コース設定キー４６、車両１４のタイプを選択するタイプ設定キー４７、車両１４に特殊な装備品が取付けてあるときその装備品を設定する装備品設定キー４８、洗車の設定を確認し洗車開始を入力する確認キー４９、および後述する洗車カードによる料金の支払いができないときに操作する精算キー５０が設けられ、またその右下半分には、紙幣投入口５１、コイン投入口５２、コイン返却口５３などを有し、現金による洗車料金の払い込みに使用される料金装置５４が設けられ、またその右上半分には、車両１４のドライバ（車両の利用者の一例）に渡される洗車カード５７用のカード装置（リライトカードリーダライタ）５８が設けられている。
【００２２】
前記洗車カード５７は、図１に示すように、複数回印字の書き換えが可能とされた印字面５６をその一面側に有し、その反対面に磁気により各種のデータを記憶（書込み）可能とされたリライトカードからなり、この洗車カード５７には、磁気データとして、後述する、洗車機に設定された洗車動作（洗車コース）の料金の支払いに使用されるプリペイド情報（残高）、前回実行した利用日時および洗車情報（洗車コース、車両１４のタイプ・装備品の情報）が記憶され、印字面５６には、プリペイド情報（残高）ａ、キャンペーン情報などのメッセージ情報ｂ、前回実行した利用日時、洗車情報（洗車コース、車両１４のタイプと装備品の情報）ｃが印字される。このように洗車カード５７にはプリペイドカード機能を備えられている。なお、ドライバは、ＳＳにお金を支払うことにより、プリペイド情報（残高）を増すこと（補充すること）ができる。
【００２３】
前記カード装置５８は、洗車カード５７が挿入可能とされ、この洗車カード５７に対してデータの読取、記憶、および印字面５６への情報の印字が可能とされ、図４に示すように、表面には、洗車カード５７のスロット５８Ａの他に、カード装置５８より洗車カード５７を強制的に排出させる際に操作される排出ボタン５９と、各種メッセージをユーザーに告知する表示部６０が設けられている。
【００２４】
前記本体制御装置４２とカード装置５８の構成図を図２に示す。
図２に示すように、本体制御装置４２は、本体制御部６１と、カード装置５８との間のデータの送受信に使用される通信部６２により構成され、本体制御部６１に、リモートパネル４０の操作・選択スイッチ群４５と料金装置５４と、上記ホームポジション検出スイッチ２０、エンドポジション検出スイッチ２１、車載検出スイッチ２７、車両１４の車高センサや車幅センサ（図示せず）などからなるセンサ部３１と、上記走行駆動装置１３、洗浄装置１６、乾燥装置１７、スプレー装置１８、ローラコンベヤ２５の作動装置２６、表示板２８、遮断器３６などからなる駆動部３２とが接続され、さらに通信部６２が接続されている。
【００２５】
本体制御部６１は、時計機能を有し、リモートパネル４０の操作・選択スイッチ群４５と料金装置５４などからの各種信号、および前記センサ部３１からのセンサ信号に応じて、前記駆動部３２を駆動し、洗車機本体１１およびローラコンベヤ２５の動作を制御する（詳細は後述する）。
【００２６】
またカード装置５８には、挿入された洗車カード５７を排出させる機能を有するリライトカードリーダライタユニット６６が設けられ、このリライトカードリーダライタユニット６６の内部に、洗車カード５７に磁気により所定のデータの記憶および読み出しを行う洗車カード磁気記憶読み出し部６７と、前記印字面５６への印字および消去を発熱により実施する印字部６８とが設けられている。
【００２７】
またカード装置５８には、通信ケーブル７１を介してデータの送受信を行う通信部７２と、洗車カード５７から読み出した情報や各種設定データや通信部７２を介して入力したデータ等を記憶するメモリ７３と、排出ボタン５９、リライトカードリーダライタユニット６６、表示部６０、通信部７２およびメモリ７３に接続されこれら各部の制御を実施する制御部７５が設けられている。
［洗車動作時の洗車カードの使用とデータ更新、メモリカードのデータ更新］
以下、洗車動作時のカード装置５８の動作を、洗車機（本体制御装置４２の本体制御部６１）およびＳＳスタッフの動作とともに図５および図６のフローチャートにしたがって説明する。なお、洗車設備の洗車に伴う料金の支払いに洗車カード５７を使用するものとする。
【００２８】
車両１４のドライバは、車両１４を遮断器３６の前へ停止し、洗車カード５７をカード装置５８に挿入する。
カード装置５８の洗車カード磁気記憶読み出し部６７は洗車カード５７の挿入を確認すると（ステップ−ａ１）、洗車カード５７に磁気データとして記憶されているプリペイド情報と前回実行した情報（利用日時、洗車コース、車両１４のタイプと装備品）を読み出して、制御部７５へ出力する（ステップ−ａ２）。なお、この読み出しの際において、印字部５３によって洗車カード５７の印字面４６のプリペイド情報および前記前回実行した情報の消去が実施される。
【００２９】
制御部７５は、入力した洗車カード５７のプリペイド情報と前記前回実行した情報をメモリ７３に記憶し（ステップ−ａ３）、プリペイド情報（残高）を表示部６０へ出力して表示させる（ステップ−ａ４）。
【００３０】
ドライバは、続いて操作・選択スイッチ群４５を使用して洗車コース、車両１４のタイプ・装備品の情報を入力する。
本体制御装置４２の本体制御部６１は、これら操作・選択スイッチ群４５の操作信号により洗車コースとタイプ等を確認すると（ステップ−ｂ１）、入力した洗車コースの料金を求めて、洗車コースおよび求めた洗車コースの料金からなる洗車料金情報を形成して、通信部６２、通信ケーブル７１、カード装置５８の通信部７２を介してカード装置５８の制御部７５へ出力する（ステップ−ｂ２）。
【００３１】
制御部７５は、前記洗車料金情報を入力すると（ステップ−ａ５）、この情報をメモリ７３へ記憶し（ステップ−ａ６）、続いて情報の洗車コースの料金の請求と残高を比較して料金の徴収が可能かどうかを判断し（ステップ−ａ７）、料金の徴収が可能と判断すると、洗車ＯＫ信号を通信部７２、通信ケーブル７１、本体制御装置４２の通信部６２を介して本体制御部６１へ出力する（ステップ−ａ８）。また料金の徴収が不可能と判断すると、徴収不足信号を同様に本体制御部６１へ出力する（ステップ−ａ９）。
【００３２】
本体制御装置４２の本体制御部６１は、洗車ＯＫ信号を入力しているかを確認し（ステップ−ｂ３）、徴収不足信号を入力しているかを確認する（ステップ−ｂ４）。徴収不足信号の入力を確認すると、リモートパネル４０の精算キー５０のランプを点灯させる（ステップ−ｂ５）。
【００３３】
ドライバは、精算キー５０のランプの点灯を確認すると、料金不足を認識してこの精算キー５０を操作する。
本体制御装置４２の本体制御部６１は、この精算キー５０の操作信号を確認すると（ステップ−ｂ６）、精算信号をカード装置５８の制御部７５へ出力し（ステップ−ｂ７）、今まで設定した洗車コースなどの情報を全てリセットして（ステップ−ｂ８）、終了する。
【００３４】
カード装置５８の制御部７５は、精算信号を確認すると（ステップ−ａ１０）、メモリ７３に記憶していた洗車カード５７のプリペイド情報と前回実行した情報（利用日時、洗車コース、車両１４のタイプと装備品の情報）をそのまま洗車カード磁気記憶読み出し部６７および印字部６８へ出力して洗車カード５７に元の情報を記憶し、印字面５６に元のプリペイド情報と前記前回実行した情報を印字させる（ステップ−ａ１１）。続いて、リライトカードリーダライタユニット６６へ洗車カード排出信号を出力して洗車カード５７を排出させる（ステップ−ａ１２）。
【００３５】
ドライバは、排出された洗車カード５７を受け取る。
またステップ−ｂ３において、洗車ＯＫ信号の入力を確認すると、リモートパネル４０の確認キー４９のランプを点灯させる（ステップ−ｂ９）。
【００３６】
ドライバは、確認キー４９のランプの点灯を確認すると、洗車ＯＫを認識してこの確認キー４９を操作する。
本体制御装置４２の本体制御部６１は、この確認キー４９の操作信号を確認すると（ステップ−ｂ１０）、時計機能による現在の日時（利用日時に相当する）と先に設定された洗車コース、車両１４のタイプ・装備品の情報（洗車情報）を、通信部６２、通信ケーブル７１、カード装置５８の通信部７２を介してカード装置５８の制御部７５へ出力する（ステップ−ｂ１１）。
【００３７】
制御部７５は、利用日時、および洗車情報（洗車コース、車両１４のタイプ・装備品の情報）を入力すると（ステップ−ａ１３）、入力したこれら利用日時、および洗車情報を、メモリ７３に記憶し（ステップ−ａ１４）、続いて、メモリ７３に記憶した上記プリペイド情報から、メモリ７３に記憶した上記洗車情報の洗車コースの料金を減算して新たな残高を求め、メモリ７３に記憶する（ステップ−ａ１５）。続いて、メモリ７３に記憶した、新たな残高、利用日時、および洗車情報を、洗車カード磁気記憶読み出し部６７および印字部６８へ出力して洗車カード５７にこれら情報を記憶し、洗車カード５７の印字面５６に図１に示すように印字させる（ステップ−ａ１６）。続いて、リライトカードリーダライタユニット６６へ洗車カード排出信号を出力して洗車カード５７を排出させ（ステップ−ａ１７）、終了する。
【００３８】
ドライバは、排出された洗車カード５７を受け取り、洗車カード５７の印字面５６を確認する。
続いて、本体制御部６１は、先に設定された洗車コース、車両１４のタイプ・装備品の情報に基づいて洗車を実行する（ステップ−ｂ１２）。
【００３９】
すなわち、車載検出スイッチ２７がオフかどうかを確認し（ローラコンベヤ７上の車両４の有無を確認し）、オフのとき、遮断器３６を開駆動し、表示板２８を水平に降ろして車両停止位置を表示し、ドライバへ車両１４のローラコンベヤ２５への乗り込みを促す。
【００４０】
ドライバは、遮断器３６が開くと、車両１４を前進させてローラコンベヤ２５上へ乗り入れ、表示板２８前に停止する。
次に車載検出スイッチ２７がオンとなると、表示板２８を格納し、続いて遮断器３６を閉駆動する。
【００４１】
次に、走行駆動装置１３により洗車機本体１１を前方に駆動し、作動装置２６によりローラコンベヤ２５を後方に作動させる。これにより、洗車機本体１１はレール１２に支持案内されてホームポジションＨＰから前方へ走行移動し、往路における洗浄装置１６およびスプレー装置１８による所定の洗浄工程を行う。このとき、ローラコンベヤ２５は洗車機本体１１と逆方向に作動され、車両１４は洗車機本体１１と逆方向に移動する（相対移動する）ため、洗車の際、洗車機本体１１の移動距離を短縮して洗車し得る。
【００４２】
そして、エンドポジション検出スイッチ２１が動作し、図３に２点鎖線で示すように、洗車機本体１１がエンドポジションＥＰに到達したことを確認すると、走行駆動装置１３により洗車機本体１１を後方に駆動し、作動装置２６によりローラコンベヤ２５を前方に作動させる。これにより、洗車機本体１１はレール１２に支持案内されてエンドポジションＥＰから後方へ走行移動し、復路における乾燥装置１７による所定の乾燥工程を行う。このとき、ローラコンベヤ２５は洗車機本体１１と逆方向に作動されることから、車両１４は逆方向の前方に移動する。
【００４３】
そして、設定された洗車コースによっては、上記往路の工程と復路の工程を繰り返す。
そして、最終洗車工程が終了し、洗車機本体１１がホームポジションＨＰに戻ると、洗車機本体１１の走行駆動装置１３を停止し、ローラコンベヤ２５の作動装置２６を停止し、退場誘導灯３３を点灯し、ドライバに車両１４の退場を促す。
【００４４】
これにより、洗車機本体１１はホームポジションＨＰで停止し、ローラコンベヤ２５が停止し、ドライバは車両１４を前進させ、ローラコンベヤ２５より下ろして退場させる。車両１４の移動（退場）により車両退場検出スイッチ３４がオンとなると、退場誘導灯３３を消灯し、洗車動作を終了する。
【００４５】
洗車動作が終了すると、ステップ−ｂ８を実行して、すなわち今まで設定した洗車コースなどの情報を全てリセットして、終了する。
上記洗車動作時の洗車カード５７の使用とデータ更新、印字面５６の更新のステップにより、洗車コースおよび車両１４のタイプと装備品が設定される毎に、その設定日時と、洗車コースおよび車両１４のタイプと装備品の情報が記憶され、印字面５６に利用日時、洗車コース、車両１４のタイプ・装備品の情報が印字され、またプリペイド情報（残高）が更新され印字される。
【００４６】
以上のように本実施の形態によれば、カード装置５８によりドライバ（利用者）の洗車カード５７に、リモートパネル４０から洗車情報（洗車コース、車両１４のタイプ・装備品の情報）が設定される毎に、その洗車情報が利用日時とともに記憶されることによって、前記洗車情報に基づいて洗車動作が実行され車両１４にトラブルが発生したとき、利用者の洗車カード５７に記憶された洗車情報（少なくとも装備品の情報）を確認することにより、その原因が洗車機自体の不具合によるのか、あるいはドライバの設定ミスによるのかを確実に判断することができる。このとき、ドライバ自身の洗車カード５７に記憶された洗車情報が使用されることにより、ＳＳ側で洗車情報が改ざんされてトラブルの原因が消去されてしまうかもしれないという利用者の懸念・不信感を払拭でき、利用者の信頼の元で事故の原因を判断することができる。
【００４７】
また本実施の形態によれば、洗車情報が設定される毎に、カード装置５８によりドライバ（利用者）の洗車カード５７に、洗車情報とともに設定日時が記憶されることによって、洗車機本体１１の本体制御装置４２に記憶された洗車情報が万一、失われても、洗車カード５７に、設定時間が明確とされた洗車情報を残すことができる。
【００４８】
また本実施の形態によれば、洗車情報が設定される毎に、カード装置５８により利用者の洗車カード（リライトカード）５７の印字面５６に、設定日時と洗車情報が上書きで印字され、常に最新の前回の洗車情報が、利用者の洗車カード５７の印字面５６に印字されることによって、車両１４にトラブルが発生したとき、利用者もＳＳ側も共に、最新の印字面５６の情報により、トラブルの原因が、洗車機自体の不具合によるのか、あるいは利用者の設定ミスによるのかを確実に判断することができる。
【００４９】
また本実施の形態によれば、洗車カード５７はプリペイドカード機能を備え、利用可能な残高が、洗車カード（リライトカード）５７の印字面５６に印刷されることにより、利用者は残高を確認でき、この残高に応じて可能な洗車コースを選択することができる。
【００５０】
なお、本実施の形態では、洗車カード５７に洗車情報を記憶し、印字面５６に印字させているが、少なくとも設定された装備品の情報を記憶、印字するようにしてもよい。何故なら、車両１４のトラブルは、ミラー等の装備品の損傷のトラブルが大半を占めており、少なくとも装備品の情報が記憶され、印字されているとトラブルの原因を判断することができるからである。
【００５１】
また本実施の形態では、洗車機本体１１を前後方向Ｘに走行させ、かつ車両１４をローラコンベヤ２５により前後方向Ｘに移動させることにより、車両１４と洗車機本体１１を前後方向に相対移動させているが、車両１４を移動させず、洗車機本体１１のみを前後方向Ｘに走行させることにより、車両１４と洗車機本体１１を前後方向Ｘに相対移動させてもよく、また洗車機本体１１を固定し、ローラコンベヤ２５のみを前後方向Ｘに移動させることにより、車両１４と洗車機本体１１を前後方向Ｘに相対移動させるようにしてもよい。
【００５２】
また本実施の形態では、前回の洗車情報として、利用日時、洗車コース、車両１４のタイプ・装備品の情報を記憶し印字しているが、さらにリモートパネル４０において、オプションとして特殊に制御を選択できるとき、たとえば高圧スプレー洗浄を選択できるとき、選択されたオプションの情報を、新たに洗車カード５７に洗車情報として記憶し、印字面５６に印字させるようにすることもできる。
【図面の簡単な説明】
【００５３】
【図１】本発明の実施の形態における洗車機において使用される洗車カードの正面図である。
【図２】同洗車機の制御構成図である。
【図３】同洗車機の概略斜視図である。
【図４】同洗車機のリモートパネルの正面図である。
【図５】同洗車機におけるカード装置の洗車時の動作を説明するフローチャートである。
【図６】同洗車機における本体制御装置の洗車時の動作を説明するフローチャートである。
【符号の説明】
【００５４】
１１  洗車機本体
１２  レール
１３  走行駆動装置
１４  車両
２５  ローラコンベヤ
４０  リモートパネル
４２  本体制御装置
４５  操作・選択スイッチ群
５４  料金装置
５６  印字面
５７  洗車カード
５８  カード装置（リライトカードリーダライタ）
６１  本体制御部
６２  通信部
６６  リライトカードリーダライタユニット
６７  洗車カード磁気記憶読み出し部
６８  印字部
７１  通信ケーブル
７２  通信部
７３  メモリ
７５  制御部
【図１】
2010006084.tif 000003
【図２】
2010006084.tif 000004
【図３】
2010006084.tif 000005
【図４】
2010006084.tif 000006
【図５】
2010006084.tif 000007
【図６】
2010006084.tif 000008